(57)【特許請求の範囲】
【請求項１】
相対する長側壁と相対する短側壁と底部とから構成されている箱型基体と、箱型基体の相対する長側壁に、略水平な状態と垂直状態との間で回動可能に取り付けられている相対する折り畳み長側壁部材と、箱型基体の相対する短側壁に、略水平な状態と垂直状態との間で回動可能に取り付けられている相対する折り畳み短側壁部材とを有し、相対する折り畳み長側壁部材と相対する折り畳み短側壁部材とが、略水平状態に折り畳まれた状態においては、相対する折り畳み長側壁部材と相対する折り畳み短側壁部材とが、箱型基体内に収容されるように構成されており、且つ、相対する折り畳み長側壁部材と相対する折り畳み短側壁部材とが、箱型基体内に収容された状態においては、箱型基体に被蓋され、また、相対する折り畳み長側壁部材と相対する折り畳み短側壁部材とが垂直状態に組み立てられた状態においては、垂直状態に組み立てられた相対する折り畳み長側壁部材と相対する折り畳み短側壁部材とに被蓋されように構成されている蓋部材を有するとともに、折り畳み短側壁部材と折り畳み長側壁部材とを、垂直状態に回動させた状態においては，折り畳み短側壁部材と折り畳み長側壁部材とが、箱型基体の上端面に形成された凹溝に嵌入されているパッキングを押圧するよう構成したことを特徴とする保冷容器。
【請求項２】
蓋部材の裏面に、折り畳み短側壁部材及び折り畳み長側壁部材の上端部に形成された凸部が嵌合する周状凹部を形成するとともに、周状凹部の天部には、パッキングが嵌入された内部周状凹部を形成したことを特徴とする請求項１に記載の保冷容器。
【請求項３】
緊諦バンドのフックを引っ掛ける水平バ−を蓋部材に配設するとともに、箱型基体には、緊諦バンドが挿通される水平バ−を配設したことを特徴とする請求項１又は請求項２に記載の保冷容器。
【請求項４】
折り畳み短側壁部材の把手部の先端部に水平状のスリットを形成するとともに、蓋部材の周面に溝を形成し、上記スリットと溝に、略Ｌ字状の係止フック部材の嵌合筒状部を嵌着することを特徴とする請求項１〜請求項３のいずれか１項に記載の保冷容器。
【発明の詳細な説明】
【０００１】
【発明の属する技術分野】
本発明は、野菜、鮮魚、牛乳等の生鮮食料品を保冷状態で保管或いは運搬するための保冷容器に関するものである。
【０００２】
【従来の技術】
従来，発泡材等の断熱材を、無発泡の合成樹脂製板で、サンドイッチ状に挟んだ構造の断熱部材により保冷容器を形成するとともに、保冷容器の側壁を部分的に折り畳むことにより、空の状態の保冷容器の高さを低くして、保冷容器の収容空間を低減するようにした保冷容器が知られている。
【０００３】
【発明が解決しようとする課題】
上述した従来の側壁を部分的に折り畳むようにした保冷容器は、側壁部分等の断熱効果が十分でなく、従って、長い時間、生鮮食料品を保冷状態で保管或いは運搬することができないという問題があった。
【０００４】
本発明の目的は、上述した従来の保冷容器が有する課題を解決することにある。
【０００５】
【課題を解決するための手段】
本発明は、上述した目的を達成するために、第１には、相対する長側壁と相対する短側壁と底部とから構成されている箱型基体と、箱型基体の相対する長側壁に、略水平な状態と垂直状態との間で回動可能に取り付けられている相対する折り畳み長側壁部材と、箱型基体の相対する短側壁に、略水平な状態と垂直状態との間で回動可能に取り付けられている相対する折り畳み短側壁部材とを有し、相対する折り畳み長側壁部材と相対する折り畳み短側壁部材とが、略水平状態に折り畳まれた状態においては、相対する折り畳み長側壁部材と相対する折り畳み短側壁部材とが、箱型基体内に収容されるように構成されており、且つ、相対する折り畳み長側壁部材と相対する折り畳み短側壁部材とが、箱型基体内に収容された状態においては、箱型基体に被蓋され、また、相対する折り畳み長側壁部材と相対する折り畳み短側壁部材とが垂直状態に組み立てられた状態においては、垂直状態に組み立てられた相対する折り畳み長側壁部材と相対する折り畳み短側壁部材とに被蓋されように構成されている蓋部材を有するとともに、折り畳み短側壁部材と折り畳み長側壁部材とを、垂直状態に回動させた状態においては，折り畳み短側壁部材と折り畳み長側壁部材とが、箱型基体の上端面に形成された凹溝に嵌入されているパッキングを押圧するようにしたものであり、第２には、蓋部材の裏面に、折り畳み短側壁部材及び折り畳み長側壁部材の上端部に形成された凸部が嵌合する周状凹部を形成するとともに、周状凹部の天部には、パッキングが嵌入された内部周状凹部を形成したものであり、第３には、緊諦バンドのフックを引っ掛ける水平バ−を蓋部材に配設するとともに、箱型基体には、緊諦バンドが挿通される水平バ−を配設したものであり、第４には、折り畳み短側壁部材の把手部の先端部に水平状のスリットを形成するとともに、蓋部材の周面に溝を形成し、上記スリットと溝に、略Ｌ字状の係止フック部材の嵌合筒状部を嵌着するようにしたものである。
【０００６】
【実施例】
以下に、本発明の実施例について説明するが、本発明の趣旨を越えない限り何ら、本実施例に限定されるものではない。なお、以下の実施例において説明する保冷容器を構成する各部材は、特に言及しない限りは、上述した発泡材等の断熱材を、無発泡の合成樹脂製板で、サンドイッチ状に挟んだ構造の断熱部材により形成されている。
【０００７】
１は、上方に開口部を有する箱型基体であり、箱型基体１は、相対する長側壁１ａと、相対する短側壁１ｂと、底部１ｃとから構成されている。また、箱型基体１の上端面１ｄには、周状凹溝１ｅが形成されており、周状凹溝１ｅには、軟質ゴムや軟質合成樹脂等で形成されたパッキング１ｆが嵌入されている。長側壁１ａの外壁面には、所定の間隔をおいて、縦方向に延びる凹部１ｇが形成されており、また、凹部１ｇを架橋する水平バー１ｈが形成されており、凹部１ｇの底部と水平バー１ｈとの間には、後述する緊諦バンドが挿入可能な間隙が形成されている。箱型基体１と後述する折り畳み短側壁部材と折り畳み長側壁部材とにより、保冷容器本体が構成される。
【０００８】
２は、相対して配設された折り畳み短側壁部材であり、折り畳み短側壁部材２は、折り畳み短側壁部材２の左右両端面の下部に形成された孔２ａに、箱型基体１の長側壁１ａの内壁面の左右両端部付近に突設されたピン１ｉを挿入することにより、箱型基体１に回動可能に取り付けられている。折り畳み短側壁部材２は、ピン１ｉを中心に、図２に二点鎖線で示されている略水平な状態と実線で示されている垂直状態との間で回動することができるように構成されており、垂直状態においては、箱型基体１の短側壁１ｂと協同して、保冷容器本体の短側壁部を構成する。
【０００９】
折り畳み短側壁部材２の外側面の中程には、折り畳み短側壁部材２と略同一な幅を有する水平な凸条部２ｂが突設されており、折り畳み短側壁部材２を、略水平な状態から、ピン１ｉを中心に、垂直状態に回動させた際には、凸条部２ｂの下面２ｂ’により、箱型基体１の上端面１ｄに形成された周状凹溝１ｅに嵌入されているパッキング１ｆを押圧するように構成されている。
【００１０】
３は、相対して配設された折り畳み長側壁部材であり、折り畳み長側壁部材３は、折り畳み長側壁部材３の左右両端面の下部に形成された孔３ａに、箱型基体１の短側壁１ｂの内壁面の左右両端部付近に突設されたピン１ｊを挿入することにより、箱型基体１に回動可能に取り付けられている。折り畳み長側壁部材３は、ピン１ｊを中心に、図３に二点鎖線で示されている略水平な状態と実線で示されている垂直状態との間で回動することができるように構成されており、垂直状態においては、箱型基体１の長側壁１ａと協同して、保冷容器本体の長側壁部を構成する。
【００１１】
折り畳み長側壁部材３の箱型基体１内に配置される部分は、折り畳み長側壁部材３の外側面を一段低く形成することにより、薄肉部３ｂに形成されており、折り畳み長側壁部材３の厚肉部３ｃと薄肉部３ｂとの間には、庇部３ｄが形成されている。折り畳み長側壁部材３を、略水平な状態から、ピン１ｊを中心に、垂直状態に回動させた際には、庇部３ｄにより、箱型基体１の上端面１ｄに形成された周状凹溝１ｅに嵌入されているパッキング１ｆを押圧するように構成されている。
【００１２】
折り畳み短側壁部材２が枢支されているピン１ｉは、折り畳み長側壁部材３が枢支されているピン１ｊより下方に位置しており、また、垂直状態の折り畳み短側壁部材２の上面と垂直状態の折り畳み長側壁部材３の上面とは、面一になるように構成されている。
【００１３】
図４に示されてるように、折り畳み短側壁部材２及び折り畳み長側壁部材３が垂直な状態の保冷容器本体が組み立てられた状態から、先ず最初に、相対する折り畳み短側壁部材２を、ピン１ｉを中心に、図２に二点鎖線で示されているように略水平な状態に折り畳み、次いで、相対する折り畳み長側壁部材３を、ピン１ｊを中心に、図３に二点鎖線で示されているように略水平な状態に折り畳むことにより、図５に示されているように、折り畳み短側壁部材２及び折り畳み長側壁部材３を、箱型基体１内に収容することができるように構成されている。このように、空の状態の保冷容器本体を、略半分の高さにコンパクト化することができるように構成されている。
【００１４】
折り畳み長側壁部材３の外側面には、上述した長側壁１ａの外壁面に形成された縦方向に延びる凹部１ｇに対応して、所定の間隔をおいて、後述する緊諦バンドが挿入可能な縦方向に延びる凹部３ｅが形成されている。
【００１５】
４は、蓋部材であり、蓋部材４の裏面には、略方形状の周状凹部４ａが形成されており、周状凹部４ａには、折り畳み短側壁部材２の上端部に形成された薄肉凸部２ｃ及び折り畳み長側壁部材３の上端部に形成された薄肉凸部３ｆが嵌合するように構成されている。また、周状凹部４ａの天部には、更に、略方形状の内部周状凹部４ｂが形成されており、内部周状凹部４ｂには、軟質ゴムや軟質合成樹脂等で形成されたパッキング４ｃが嵌入されている。
【００１６】
箱型基体１の上端面１ｄに形成された周状凹溝１ｅの外側には、適当数の突条１ｋが突設されており、図５に示されているように、折り畳み短側壁部材２及び折り畳み長側壁部材３が箱型基体１内に収容された後、箱型基体１に上述した蓋部材４を被せた際には、箱型基体１の上端面１ｄに突設された突条１ｋが、蓋部材４の裏面に形成された周状凹部４ａが嵌合し、蓋部材４が水平方向に移動しないように構成されている。なお、突条１ｋが、箱型基体１の上端面１ｄの角部に形成された実施例が示されているが、箱型基体１の上端面１ｄの角部に限らず、箱型基体１の長側壁１ａと短側壁１ｂに沿って形成することもできる。
【００１７】
蓋部材４の上面には、蓋部材４の周辺に沿って、適当数の突条４ｄが突設されており、折り畳み短側壁部材２及び折り畳み長側壁部材３が箱型基体１内に収容され、蓋部材４が被蓋された状態の保冷容器本体或いは折り畳み短側壁部材２及び折り畳み長側壁部材３が垂直状態に組み立てられ、蓋部材４が被蓋された状態の保冷容器本体を、上下方向に段積みした際に、上に位置する箱型基体１の裏面に形成された下駄部分１ｍが、下に位置する蓋部材４の上面に形成された突条４ｄ内に嵌合され、上に位置する箱型基体１が、下に位置する蓋部材４に対して、水平方向に移動すことが防止され、安定した状態で、多数の保冷容器を段積みすることができるように構成されている。
【００１８】
蓋部材４の箱型基体１の長側壁１ａ及び折り畳み長側壁部材３に対応する外側面には、上述した長側壁１ａの外壁面に形成された縦方向に延びる凹部１ｇ及び折り畳み長側壁部材３の外側面に形成された縦方向に延びる凹部１ｇに対応して、所定の間隔をおいて、縦方向に延びる凹部４ｅが形成されており、そして、凹部４ｅを架橋する水平バー４ｆが形成されている。凹部４ｅの底部と水平バー４ｆとの間には、後述する緊諦バンドのフックが挿入可能な間隙が形成されている。
【００１９】
次に、図８及び図９を用いて、上述した緊諦バンド５及びその使用形態について説明する。
【００２０】
緊諦バンド５のバンド部５ａの一方の端部には、鉤状のフック５ｂが取着されており、鉤状のフック５ｂの湾曲側と反対側のバンド部５ａの所定箇所には、ベルベット式ファスナーを構成するループ５ｃ及びフック５ｄが、多数、植毛されている。
【００２１】
折り畳み短側壁部材２及び折り畳み長側壁部材３が垂直に立てられ、組み立てられた状態の保冷容器本体に、蓋部材４を被せた後、蓋部材４の外側面に形成された凹部４ｅを架橋する水平バー４ｆに、緊諦バンド５の鉤状のフック５ｂを引っ掛ける。次いで、緊諦バンド５のフック５ｂが形成されていない端部５ｅを、箱型基体１の長側壁１ａの外壁面に形成された凹部１ｇを架橋する水平バー１ｈと凹部１ｇの底部との間の間隙に差し込んで、該間隙に緊諦バンド５のバンド部５ａを挿通する。次いで、緊諦バンド５を下方に引っ張ることにより、保冷容器本体に、蓋部材４を、しっかり被蓋した後、緊諦バンド５の端部５ｅを上方に持ち上げて、緊諦バンド５のループ５ｃとフック５ｄとを密着させる。緊諦バンド５のバンド部５ａは、長側壁１ａの外壁面に形成された凹部１ｇ、折り畳み長側壁部材３の外側面に形成された凹部１ｇ及び蓋部材４に形成された凹部４ｅに挿入されるように構成されており、４本の緊諦バンド５により、保冷容器本体に、蓋部材４をしっかりと取り付けることができる。
【００２２】
上述したように、４本の緊諦バンド５により、保冷容器本体が、蓋部材４により被蓋されるので、蓋部材４の裏面に形成された周状凹部４ａに嵌合された折り畳み短側壁部材２の薄肉凸部２ｃ及び折り畳み長側壁部材３の薄肉凸部３ｆが、内部周状凹部４ｂに嵌入されたパッキング４ｃを押圧することになるので、保管容器の内部を気密状態に維持することができる。また、上述したように、折り畳み短側壁部材２を、略水平な状態から、ピン１ｉを中心に、垂直状態に回動させた際には、凸条部２ｂの下面２ｂ’により、箱型基体１の上端面１ｄに形成された周状凹溝１ｅに嵌入されているパッキング１ｆを押圧するように構成されているとともに、同様に、折り畳み長側壁部材３を、略水平な状態から、ピン１ｊを中心に、垂直状態に回動させた際には、庇部３ｄにより、箱型基体１の上端面１ｄに形成された周状凹溝１ｅに嵌入されているパッキング１ｆを押圧するように構成されているので、箱型基体１と折り畳み短側壁部材２との間隙及び箱型基体１と折り畳み長側壁部材３との間隙から外気が侵入するようなことが防止され、更に、保管容器の内部を気密状態に維持することができる。
【００２３】
相対する折り畳み短側壁部材２の外壁面の中央上部には、所定の幅を有する水平状の把手部２ｄが突設されており、把手部２ｄの先端部には、水平状のスリット２ｄ’が形成されている。また、蓋部材４を被蓋した際に、把手部２ｄに対応する蓋部材４の上部周面には、把手部２ｄに平行な溝４ｇが形成されている。一方、図１０に示されているような、略Ｌ字状の係止フック部材６が準備されている。この略Ｌ字状の係止フック部材６は、金属板材や合成樹脂製板材等の弾力性のある素材で形成されており、係止フック部材６の両先端部を内側に円筒状に丸めることにより、嵌合筒状部６ａが形成されている。
【００２４】
折り畳み短側壁部材２及び折り畳み長側壁部材３を垂直に立て、組み立てられた状態の保冷容器本体に、蓋部材４を被せた後、折り畳み短側壁部材２の把手部２ｄの先端部に形成された水平状のスリット２ｄ及び蓋部材４の上部周面に形成された溝４ｇに、略Ｌ字状の係止フック部材６の嵌合筒状部６ａを嵌着することにより、図１１に示されているように、保冷容器本体に、蓋部材４を、しっかりと被せるように構成されている。上述した緊諦バンド５による保冷容器本体への蓋部材４の取り付けと同時に、このような略Ｌ字状の係止フック部材６を使用することにより、更に保冷容器の内部の気密状態を保持することができる。
【００２５】
本実施例においては、図１２に示されているように、折り畳み長側壁部材３の両先端部は、折り畳み短側壁部材２方向に向いた折り曲げ部３ｇを有しており、折り曲げ部３ｇの保冷容器本体の内側角部には縦方向に延びる隅部３ｇ’が形成されている。また、折り畳み短側壁部材２の両端部の保冷容器本体内側には、上記の折り畳み長側壁部材３の隅部３ｇ’に嵌合する薄肉の縦状凸部２ｅが形成されている。折り畳み短側壁部材２及び折り畳み長側壁部材３が箱型基体１内に収容された状態から、先ず最初に、ピン１ｊを中心に、折り畳み長側壁部材３を垂直状態に回動させ、次いで、ピン１ｉを中心に、折り畳み短側壁部材２を垂直状態に回動させるとともに、折り畳み長側壁部材３の隅部３ｇ’に、折り畳み短側壁部材２の薄肉の縦状凸部２ｅを嵌合させることにより、保冷容器本体を組み立てるように構成されている。なお、折り畳み長側壁部材３の両端部と折り畳み短側壁部材２の両端部の嵌合構造は、上記のような実施例に限定されることなく、種々の嵌合構造を採用することができる。また、必要に応じて、折り畳み長側壁部材３の両端部と折り畳み短側壁部材２の両端部の当接部分に、軟質ゴムや軟質合成樹脂等で形成されたパッキングを介在させることにより、保冷容器の気密性をより向上させることができる。
【００２６】
【発明の効果】
本発明は、以上説明した構成を有しているので、以下に記載する効果を奏するものである。
【００２７】
保冷容器の内部への外気の侵入を効果的に防止することができ、保冷容器の内部の気密状態を確実に保持することができるとともに、、折り畳み短側壁部材及び折り畳み長側壁部材を、箱型基体内に収容することができるので、空の保冷容器をコンパクトにすることができる。
【００２８】
蓋部材の裏面に、折り畳み短側壁部材及び折り畳み長側壁部材の上端部に形成された凸部が嵌合する周状凹部を形成するとともに、周状凹部の天部には、パッキングが嵌入された内部周状凹部を形成したので、保冷容器本体と蓋部材との間からの外気の侵入を確実に防止することができる。
【００２９】
緊諦バンドの締め付けにより、保冷容器本体が、蓋部材により被蓋されるので、蓋部材に配設されたパッキングが押圧され、従って、保管容器の内部をより気密状態に維持することができる。
【００３０】
略Ｌ字状の係止フック部材の締め付けにより、保冷容器本体が、蓋部材により被蓋されるので、更に保管容器の内部を気密状態に維持することができる。
【図面の簡単な説明】
【図１】図１は本発明の保冷容器の分解斜視図である。
【図２】図２は本発明の保冷容器の長側壁部に沿った垂直断面図である。
【図３】図３は本発明の保冷容器の短側壁部に沿った垂直断面図である。
【図４】図４は本発明の保冷容器の斜視図である。
【図５】図５は本発明の保冷容器のコンパクト状態の斜視図である。
【図６】図６は本発明の保冷容器の蓋部材の裏面図である。
【図７】図７は本発明の保冷容器の蓋部材の垂直断面図である。
【図８】図８は本発明の保冷容器に使用される締結バンドの側面図である。
【図９】図９は本発明の保冷容器の斜視図である。
【図１０】図１０は本発明の保冷容器に使用される係止フック部材の斜視図である。
【図１１】図１１は本発明の保冷容器の斜視図である。
【図１２】図１２は本発明の保冷容器の部分平面図である。
【符号の説明】
１・・・・・・・・箱型基体
２・・・・・・・・折り畳み短側壁部材
３・・・・・・・・折り畳み長側壁部材
４・・・・・・・・蓋部材
５・・・・・・・・緊諦バンド
６・・・・・・・・係止フック部材
【図１】
0003999884.tif 000002
【図２】
0003999884.tif 000003
【図３】
0003999884.tif 000004
【図４】
0003999884.tif 000005
【図５】
0003999884.tif 000006
【図６】
0003999884.tif 000007
【図７】
0003999884.tif 000008
【図８】
0003999884.tif 000009
【図９】
0003999884.tif 000010
【図１０】
0003999884.tif 000011
【図１１】
0003999884.tif 000012
【図１２】
0003999884.tif 000013